(57)【要約】【課題】自転車用テールランプにおいて、簡単に構成でき、コストを低減できるようにする。【解決手段】自転車用テールランプ１０は、自転車に装着可能である。自転車用テールランプ１０は、光源２４、および自転車用テールランプ１０が自転車に装着された状態で光源２４の後方に配置され、光源２４からの光を両側方に反射する反射部材２６を備える。光源２４は、自転車用テールランプ１０が自転車に装着された状態でその光軸ＬＡが反射部材２６よりも上側に延びるように配置される。【選択図】図３
0003176119.tif 000002
【実用新案登録請求の範囲】
【請求項１】
自転車に装着可能な自転車用テールランプであって、
光源、および
前記自転車用テールランプが前記自転車に装着された状態で前記光源の後方に配置され、前記光源からの光を両側方に反射する反射部材を備え、
前記光源は、前記自転車用テールランプが前記自転車に装着された状態でその光軸が前記反射部材よりも上側に延びるように配置される、自転車用テールランプ。
【請求項２】
前記光源は、前記自転車用テールランプが前記自転車に装着された状態で前記光軸が後斜め上方に延びるように配置される、請求項１に記載の自転車用テールランプ。
【請求項３】
透光性を有し、前記光源を覆うように設けられるレンズ部材をさらに備え、
前記反射部材と前記レンズ部材とは別部材として設けられる、請求項１または２に記載の自転車用テールランプ。
【請求項４】
前記自転車用テールランプが前記自転車に装着された状態で後方に傾くように配置される基板をさらに備え、
前記光源は、前記基板に設けられる、請求項１から３のいずれか記載の自転車用テールランプ。
【請求項５】
前記反射部材は、
前記光源からの光を第１側方に反射する第１反射部と、
前記光源からの光を前記第１側方とは反対側の第２側方に反射する第２反射部と、を有する、請求項１から５のいずれかに記載の自転車用テールランプ。
【請求項６】
前記反射部材は、前記光源からの光を後方に通過させるための通過部を有する、請求項１から６のいずれかに記載の自転車用テールランプ。
【請求項７】
前記通過部は、前記反射部材に設けられる開口である、請求項６に記載の自転車用テールランプ。
【請求項８】
前記反射部材は、前記光源からの光を上方と後方とに分離させるための分離部を有する、請求項１から７のいずれかに記載の自転車用テールランプ。
【考案の詳細な説明】
【技術分野】
【０００１】
本考案は、テールランプ、特に、自転車に装着可能な自転車用テールランプに関する。
【背景技術】
【０００２】
自転車の後部に設けられるテールランプは、自転車の後方に光を照射するだけではなく、自転車の両側方と上方とに光を照射することが求められる。従来のテールランプは、自転車の後方に光を照射する２つの発光ダイオード（LED: Light-Emitting-Diode）と、発光ダイオードから照射された光を後方に透過させるとともに、斜め前上方および両側方（左右斜め前側方）に反射する反射部を有するレンズと、を備える（たとえば、特許文献１参照）。２つの発光ダイオードは、上部に並べて配置される。反射部は、発光ダイオードの斜め上後方に配置され、発光ダイオードに対して凸に湾曲するハーフミラーを含む。このような反射部によって、発光ダイオードからの光が後方に透過するとともに斜め前上方および両側方に反射される。
【先行技術文献】
【特許文献】
【０００３】
【特許文献１】独国特許発明第４４３３８８２号明細書
【考案の概要】
【考案が解決しようとする課題】
【０００４】
従来の構成では、反射部としてハーフミラーを有するレンズを用いている。このため、部品コストが上昇する。
【０００５】
本考案の課題は、自転車用テールランプにおいて、簡単な構成でコストを低減することにある。
【課題を解決するための手段】
【０００６】
考案１に係る自転車用テールランプは、自転車に装着可能である。自転車用テールランプは、光源、および自転車用テールランプが自転車に装着された状態で光源の後方に配置され、光源からの光を両側方に反射する反射部材を備える。光源は、自転車用テールランプが自転車に装着された状態でその光軸が反射部材よりも上側に延びるように配置される。
【０００７】
この自転車用テールランプでは、自転車用テールランプが自転車に装着された状態で光源の光軸が光源の後方に配置される反射部材よりも上側に延びる。また、光源からの光は、反射部材により両側面に反射する。これにより、自転車用テールランプが自転車に装着された状態で反射部材の上側に延びる光が自転車用テールランプから上方および後方に照射され、反射部材で反射した光が自転車用テールランプの両側方に照射される。ここでは、光軸が反射部材の上側に延びる光源と、光源の後方に配置される反射部材とだけで、自転車用テールランプの後方、上方および両側方に光源からの光を照射できる。このため、簡素な構成にでき、コストを低減できる。
【０００８】
考案２に係る自転車用テールランプは、考案１に記載の自転車用テールランプにおいて、光源は、自転車用テールランプが自転車に装着された状態で光軸が後斜め上方に延びるように配置される。この場合には、光軸が後斜め上方に向くため、反射部材を光源の後方に配置しても反射部材を超えて光源からの光を後方に照射できる。
【０００９】
考案３に係る自転車用テールランプは、考案１または２に記載の自転車用テールランプにおいて、透光性を有し、光源を覆うように設けられるレンズ部材をさらに備える。反射部材とレンズ部材とは別部材として設けられる。この場合は、ハーフミラーなどの複雑な形状の部材をレンズ部材に設ける必要がなく、コストを低減できる。
【００１０】
考案４に係る自転車用テールランプは、考案１から３のいずれかに記載の自転車用テールランプにおいて、自転車用テールランプが自転車に装着された状態で後方に傾くように配置される基板をさらに備える。光源は、基板に設けられる。この場合には、光源が設けられる基板を後方に傾けて配置するだけで、光軸を反射部材の上側に延びるように構成できるので、自転車用テールランプを簡単に組み立てることができる。
【００１１】
考案５に係る自転車用テールランプは、考案１から４のいずれかに記載の自転車用テールランプにおいて、反射部材は、光源からの光を第１側方に反射する第１反射部と、光源からの光を第１側方とは反対側の第２側方に反射する第２反射部と、を有する。この場合には、一つの反射部材によって光源からの光を第１側方と第２側方とに反射できるので、自転車用テールランプを簡単に組み立てることができる。
【００１２】
考案６に係る自転車用テールランプは、考案１から５のいずれかに記載の自転車用テールランプにおいて、反射部材は、光源からの光を後方に通過させるための通過部を有する。この場合には、通過部を通過して光源からの光が後方に照射されるので、自転車用テールランプの後方に光源からの光を確実に照射できる。
【００１３】
考案７に係る自転車用テールランプは、考案６に記載の自転車用テールランプにおいて、通過部は、反射部材に設けられる開口である。この場合には、反射部材に設けられる開口を光が通過するため、自転車用テールランプの後方に光源からの光をより確実に照射できる。
【００１４】
考案８に係る自転車用テールランプは、考案１から７のいずれかに記載の自転車用テールランプにおいて、反射部材は、光源からの光を上方と後方とに分離させるための分離部を有する。この場合には、後斜め上方に延びるように光軸を配置しても、光源からの光が上方と後方とに分離されるので、後方および上方に照射される光が明確になる。
【考案の効果】
【００１５】
本考案によれば、自転車用テールランプにおいて、簡単な構成でコストを低減できる。
【図面の簡単な説明】
【００１６】
【図１】本考案の一実施形態を採用した自転車用テールランプ組立体の平面斜視図。
【図２】テールランプ組立体の背面斜視図。
【図３】テールランプの縦断面図。
【図４】テールランプの斜視図。
【図５】テールランプの平面部分図。
【図６】他の実施形態の図３に相当する図。
【考案を実施するための形態】
【００１７】
図１および図２を参照して、本考案の一実施形態による自転車用テールランプ１０は、後輪用の泥よけ１２に設けられる。泥よけ１２は、自転車のフレームにたとえば図示しないボルトによって取り付け可能な取り付け部１２ａを有する。なお、以降の説明では、上下および前後左右は、搭乗者が図示しない自転車にそのハンドルに向かって搭乗した状態での上下および前後左右を意味する。
【００１８】
自転車用テールランプ１０は、泥よけ１２に一体または別体で設けられる支持部材２０と、レンズ部材２２と、光源２４と、反射部材２６と、回路基板（基板）２８と、を備える。
【００１９】
支持部材２０は、この実施形態では、泥よけ１２と一体で設けられる。支持部材２０は、図３，図４および図５に示すように、回路基板２８を装着するための装着部２０ａを有する。なお、図４および図５は、レンズ部材２２を取り外した状態を示す。装着部２０ａは、自転車用テールランプ１０が自転車に装着された状態で回路基板２８が後方に傾くように設けられる。回路基板２８は、たとえばネジ止めまたは接着等の適宜の固定手段によって装着部２０ａに固定される。
【００２０】
レンズ部材２２は、空間をあけて支持部材２０ひいては光源２４を覆うように設けられる。レンズ部材２２は、透光性を有する例えば赤色の合成樹脂製の部材である。レンズ部材２２は、図２に示すように、支持部材２０の裏面から支持部材２０に２本の第１ネジ部材３０によって固定されており、支持部材２０に対して着脱可能である。これによって、第１ネジ部材３０が外部に露出しなくなり、自転車用テールランプ１０の意匠を向上できる。
【００２１】
光源２４は、たとえば、回路基板２８の表面に実装される表面実装型の発光ダイオード２４ａを含む。発光ダイオード２４ａは、たとえば白色光を照射するものである。発光ダイオード２４ａの指向特性は、たとえば１４０度である。図３に示すように、発光ダイオード２４ａは、その光軸ＬＡが反射部材２６よりも上側に延びるように、回路基板２８上に配置される。また、発光ダイオード２４ａは、自転車用テールランプ１０が自転車に装着された状態で光軸ＬＡが後斜め上方（図３の左上方）に延びるように回路基板２８上に配置される。
【００２２】
反射部材２６は、たとえば合成樹脂製の部材であり、レンズ部材２２とは別部材として設けられる。反射部材２６は、少なくとも発光ダイオード２４ａ側の面がめっきによって光を反射可能に形成される。反射部材２６は、図４、図５および図６に示すように、回路基板２８の下端部において、ネジ止めまたは接着等の適宜の固定手段によって装着部２０ａに固定される。この実施形態では、反射部材２６は、回路基板２８とともに装着部２０ａに２本の第２ネジ部材３２によって固定される。反射部材２６は、回路基板２８とともに装着部２０ａに固定される固定部２６ａと、固定部２６ａ上に配置される反射部２６ｂと、を有する。図４および図５に示すように、反射部２６ｂは、光源２４側に凹になる円弧状に形成される。反射部２６ｂは、上下方向に延びるように固定部２６ａと一体的に設けられる。反射部２６ｂは、第１反射部２６ｃと、第２反射部２６ｄと、通過部２６ｅと、を有する。図５に示すように、第１反射部２６ｃは、光源２４からの光を第１側方（たとえば、図５の左方）に反射する。第２反射部２６ｄは、光源２４からの光を第１側方と反対側の第２側方（たとえば、図５の右方）に反射する。通過部２６ｅは、光源２４からの光を後方に通過させる。通過部２６ｅは、後方に通過する光を所定の範囲に絞るように形成される開口である。なお、図５では、左方に反射する光を一点鎖線によって、右方に反射する光を二点鎖線によって、後方に照射される光を実線によってそれぞれ矢印を付けて示す。また、反射部２６ｂは、図３に示すように、光源２４からの光を上方と後方とに分離させるための分離部２６ｆをさらに有する。分離部２６ｆは、後上方に傾斜するテーパ面によって。構成される。このような分離部２６ｆを設けることによって、後斜め上方に延びるように光軸Ｌを配置しても、光源２４からの光が上方と後方とに分離されるので、後方および上方に照射される光が明確になる。
【００２３】
回路基板２８は、前述したように、装着部２０ａに配置される。回路基板２８には、前述したように発光ダイオード２４ａが表面実装される。また、回路基板２８には、制御回路および保護回路等を含む電気部品が搭載される。回路基板２８は、図示しない配線によって前照灯、または自転車の制御回路と接続可能である。前照灯に照度センサが設けられ、前照灯が自転車の周囲の明暗に応じてオンオフする場合は、自転車用テールランプも同時にオンオフする。
【００２４】
このような構成の自転車用テールランプ１０では、光源２４の光軸ＬＡを反射部材２６の上方に延びるように配置して、光軸ＬＡを上方かつ後方傾けて配置している。このため、一つの光源２４からの光を自転車用テールランプ１０の後方および上方に照射可能になる。さらに、反射部材２６を光源２４の後方に配置し、かつ反射部材２６によって光源２４からの光を第１側方と第２側方とに反射させているため、光源２４からの光を自転車用テールランプ１０の両側方に照射することができる。これによって、簡単な構成にでき、コストを低減できる。
【００２５】
＜他の実施形態＞
以上、本考案の一実施形態について説明したが、本考案は上記実施形態に限定されるものではなく、考案の要旨を逸脱しない範囲で種々の変更が可能である。特に、本明細書に書かれた複数の実施形態及び変形例は必要に応じて任意に組合せ可能である。
【００２６】
（ａ）前記実施形態では、光源として表面実装型の発光ダイオードを例示したが、光源は電力で光るものであればどのようなものでもよい。たとえば、蛍光灯、電球、有機ＥＬ（Organic Electro-Luminescence）素子等の発光ダイオード以外の発光素子を用いてもよい。
【００２７】
（ｂ）前記実施形態では、表面実装の発光ダイオードを例に本考案を説明したが、配線用の足を有する発光ダイオードを用い、発光ダイオードだけを光軸が反射部材の上方に延びるように傾けてもよい。
【００２８】
（ｃ）前記実施形態では、泥よけ１２と一体で形成される自転車用テールランプを例示したが、自転車用テールランプ１０は、後方、上方および両側方を照射できるものであれば、自転車のどの部位に固定されてもよい。たとえば、図６では、自転車のシートステイまたはシートポストに装着可能な自転車用テールランプ１１０を示している。自転車用テールランプ１１０は、支持部材１２０の形状が異なる。支持部材１２０は、自転車のシートステイまたはシートポストに固定可能な図示しないバンドを固定可能なブラケット１２０ａを有する。ブラケット１２０ａにボルトによってバンドを取り付けることにより自転車用テールランプ１１０を自転車に装着可能である。その他の構成は前記実施形態と同様なため説明を省略する。
【００２９】
（ｄ）前記実施形態では、レンズ部材２２を赤色の透光性を有する合成樹脂製とし、光源２４として白色光を照射する発光ダイオード２４ａを例示したが、本考案はこれに限定されない。たとえば、レンズ部材として透明又は透光性を有する白色の合成樹脂で構成し、光源として赤色光を照射可能な発光素子を用いてもよい。
【符号の説明】
【００３０】
１０，１１０    自転車用テールランプ
２２    レンズ部材
２４    光源
２４ａ  発光ダイオード
２６    反射部材
２６ｃ  第１反射部
２６ｄ  第２反射部
２６ｅ  通過部
２６ｆ  分離部
２８    回路基板
【図１】
0003176119.tif 000003
【図２】
0003176119.tif 000004
【図３】
0003176119.tif 000005
【図４】
0003176119.tif 000006
【図５】
0003176119.tif 000007
【図６】
0003176119.tif 000008